(57)【要約】【課題】室内照明等の主照明を点灯させなくても、夜間等の暗い状態で収納部の扉の把持部が見える照明付き収納装置を提供する。【解決手段】前面開口を有し内部が収納空間１０となる収納部１と、前記前面開口を開閉自在に閉塞する扉２とで構成される。扉２の一部または全部に、前面３２と後面の一方または両方に光拡散部を有し側端面３１から入射した光を前面３２から出射する導光部３がその側端面３１が露出するように設けられる。扉２が閉まった状態で導光部３の側端面３１が位置する部分に向けて光を照射する光源４が収納部１に設けられる。【選択図】図１
2010257790.tif 000002
【特許請求の範囲】
【請求項１】
前面開口を有し内部が収納空間となる収納部と、前記前面開口を開閉自在に閉塞する扉とで構成され、扉の一部または全部に、前面と後面の一方または両方に光拡散部を有し側端面から入射した光を前面から出射する導光部がその側端面が露出するように設けられ、扉が閉まった状態で導光部の側端面が位置する部分に向けて光を照射する光源が収納部に設けられることを特徴とする照明付き収納装置。
【請求項２】
光源は、光の照射方向が斜め後方の収納空間内を向いて成ることを特徴とする請求項１記載の照明付き収納装置。
【発明の詳細な説明】
【技術分野】
【０００１】
本発明は、照明付き収納装置に関するものである。
【背景技術】
【０００２】
従来より、例えばキッチンの吊り戸棚やフロアキャビネットをはじめとする収納部が利用されている（例えば特許文献１参照）。収納部は、前面開口を有し内部が収納空間となるもので、前記前面開口を開閉自在に閉塞する扉を備えている。
【先行技術文献】
【特許文献】
【０００３】
【特許文献１】特開２００４−２５４７１５号公報
【発明の概要】
【発明が解決しようとする課題】
【０００４】
ところで、図１０（ａ）に示すように、夜間等の暗い状態で収納部１内の収納物を取り出そうとする際、扉２を開けようとしても扉２が見えずに扉２が開けられないことがある。このような場合は室内照明等の主照明を点灯させれば扉２が照らされて見えるようになるが、主照明のスイッチを操作する手間がかかったり、スイッチが見えず暗がりで探さなければならなかったり、あるいは、睡眠中に一時的に起きだして収納物を取り出す時などは、主照明の点灯が眩しかったり覚醒してしまうため、主照明を点灯したくない場合があった。
【０００５】
また、扉２を開けても図１０（ｂ）に示すように収納空間１０内が暗くて見えずに収納物９を取り出せないことがあり、この時も前述したように主照明を点灯したくない場合があった。
【０００６】
本発明は上記の従来の問題点に鑑みて発明したものであって、その目的とするところは、室内照明等の主照明を点灯させなくても、夜間等の暗い状態で収納部の扉の把持部が見える照明付き収納装置を提供することを課題とするものである。
【課題を解決するための手段】
【０００７】
上記課題を解決するために本発明は下記の構成を有する。
【０００８】
照明付き収納装置は、前面開口を有し内部が収納空間１０となる収納部１と、前記前面開口を開閉自在に閉塞する扉２とで構成される。扉２の一部または全部に、前面３２と後面の一方または両方に光拡散部３０を有し側端面３１から入射した光を前面３２から出射する導光部３がその側端面３１が露出するように設けられる。扉２が閉まった状態で導光部３の側端面３１が位置する部分に向けて光を照射する光源４が収納部１に設けられる。
【０００９】
また本発明の請求項２に係る発明は、請求項１に係る発明において、光源４は、光の照射方向が斜め後方の収納空間１０内を向いている。
【発明の効果】
【００１０】
請求項１に係る発明においては、導光部の前面から光が出射することで扉の前面が発光するため、室内照明等の主照明を点灯させなくても、暗い状態で収納部の扉の把持部が見えるものである。
【００１１】
請求項２に係る発明においては、扉を開けた時に光源により収納空間が照射されるため、主照明を点灯させなくても、暗い状態で収納空間が見えるものである。
【図面の簡単な説明】
【００１２】
【図１】本発明の一実施形態を示し、（ａ）は扉が閉まった状態の斜視図であり、（ｂ）は扉が開いた状態の斜視図である。
【図２】同上の導光部を説明する斜視図である。
【図３】（ａ）は同上の照明付き収納装置の平面断面図であり、（ｂ）は（ａ）のＡ部拡大図である。
【図４】扉の他例の斜視図である。
【図５】本発明の他の実施形態を示し、扉が閉まった状態の斜視図である。
【図６】（ａ）は同上の平面断面図であり、（ｂ）は（ａ）のＢ部拡大図である。
【図７】本発明の更に他の実施形態を示し、（ａ）は扉が閉まった状態の斜視図であり、（ｂ）は扉が開いた状態の斜視図である。
【図８】（ａ）は同上の側断面図であり、（ｂ）は（ａ）の要部拡大図である。
【図９】本発明の技術を適用した戸および戸枠を示し、（ａ）は扉が閉まった状態の正面図であり、（ｂ）は扉が開いた状態の斜視図である。
【図１０】従来例を示し、（ａ）は扉が閉まった状態の斜視図であり、（ｂ）は扉が開いた状態の斜視図である。
【発明を実施するための形態】
【００１３】
以下、本発明の一実施形態について図１乃至図４に基いて説明する。本発明の照明付き収納装置は、図１に示すように、収納部１と扉２とで主体が構成される。
【００１４】
収納部１は、前面開口を有し、内部が収納空間１０となるもので、キッチンの吊り戸棚やフロアキャビネットや、洗面台のキャビネットや、リビング等の部屋に設置されるキャビネット等、様々な形態があり特に限定されない。本実施形態の収納部１は、図１に示すように天板１１、両側板１２、底板１３、背板からなる前方に開口する略矩形箱状をしたもので、主に木質材や合成樹脂、金属等で形成されるが特に限定されない。前面開口には扉２が設けられる。
【００１５】
扉２は、前面開口を開閉自在に閉塞するもので、一側端部が丁番（図示せず）により前面開口の一側端部に回動自在に支持される。扉２は、主に木質材や合成樹脂、金属、場合によってはガラスで形成され、他の材質でもよく特に限定されない。扉２には導光部３が設けられる。
【００１６】
導光部３は、図２に示すように、アクリル等の合成樹脂やガラスのような透光性を有する部材からなる導光板で、側端面３１から内部に入射した光が板面３ａ（一対の対向する広い面）で反射しながら進行し、板面３ａの一部に形成される光拡散部３０にて拡散されて、導光部３外へ出射される。光拡散部３０は、導光板の板面３ａの一方または両方に、インクや塗料にて表面に印刷を施したり、微細凹凸を形成したりすることで設けられる。
【００１７】
本実施形態の扉２は、板面３ａが前後方向を向いて収納部１の前面開口の略全面に位置する導光部３で構成され、扉２が閉まった時に図３に示すように前面開口内に嵌まり込んで前面開口が閉塞され、扉２の前面３２が収納部１の天板１１、底板１３、側板１２、背板の前端面と略面一となる。扉２（すなわち導光部３）の前面３２には、透光性を有するインクや塗料にて印刷を施したり、透光性を有する印刷シートを貼付したりすることで、木目模様や抽象柄等、様々な柄模様が形成してあってもよい。これにより、光が前面３２から出射する時に印刷を透過して様々な柄模様が光って見えて、見栄えがよくなる。
【００１８】
そして本発明では、収納部１に、導光部３に入射させる光を照射する光源４が設けられる。これは、図３に示すように扉２が閉まった状態で、導光部３の側端面３１が位置する部分に向けて光を照射するように、該側端面３１と対向する収納部１に光源４が設けられる。本実施形態では、扉２が閉まった状態で、扉２の回動側の側端面３１と対向する収納部１の側板１２の内面の上端部に凹所４０が切欠して形成してあり、この凹所４０内に光源４として点状に光るＬＥＤを一つまたは複数（図示例では一つ）備えた基板４１が設けてある。
【００１９】
ＬＥＤからは、光は光軸を中心にして略逆円錐状に出射されるが、この光軸の向きが照射方向となる。本実施形態では、光源４からの照射方向が斜め後方の（更に斜め下方の）収納空間１０内を向くように設定される。
【００２０】
また凹所４０には、基板４１が収容されている内部に埃等が侵入するのを防止するため、保護カバー４２が側板１２の内面と略面一となるように設けてある。
【００２１】
また本実施形態では、導光部３に反射部５が設けてある。本実施形態では上述したように、光源４からの照射方向が斜め後方の収納空間１０内を向いているため、照射方向が導光部３の前面３２および後面と直交する場合と比べて、光の進行方向と前面３２および後面とのなす角が全体的に大きくなって、側端面３１から導光部３内に入射して後面で反射せずに出射してしまう光の量が増加する。このため、光の進行方向と前面３２および後面とのなす角が特に大きくなる後面の光源４側の側端面３１近傍に、光の進行方向と前面３２および後面とのなす角が小さくなるように反射させる反射部５が設けられるものである。具体的には、反射部５は、その反射面が収納空間１０の中心部の扉２よりも前方を向くように設けられる。反射部５は導光部３内に埋設されてもよいが、本実施形態では導光部３の後面の光源４側の側端面３１の角部を落として傾斜面を形成し、この傾斜面に鏡面加工を施したり鏡面シートや鏡面シールを貼付したりして反射部５が設けてある。
【００２２】
この照明付き収納装置にあっては、常時あるいは主に暗い時に光源４を点灯させる。そして図１（ａ）に示すように扉２が閉まっている時には、光源４からの光が扉２の導光部３の側端面３１から入射し、導光部３の後面や前面３２で反射しながら光拡散部３０にあたった光が拡散（乱反射）されて前面３２から出射する。本実施形態では図３（ｂ）に示すように反射部５が設けてあるため、導光部３の側端面３１から入射した光が反射部５にあたって進行方向と後面とのなす角が小さくなるように反射し、より多くの光が後面で反射するようになり僅かしか後面から出射しない。
【００２３】
このように本発明においては、扉２の前面が発光するため、暗い状態でも把持部２１が見えて、室内照明等の主照明を点灯させなくても扉２を容易に開けることができるようになる。また、収納物９を取り出さない場合でも、主照明ではない間接照明的な照明としても利用でき、特に柄模様が形成してあれば見栄えも一層よいものである。
【００２４】
また本実施形態では、光源４の照射方向が斜め後方の収納空間１０内を向いているため、図１（ｂ）に示すように扉２が開いている時には、光が導光部３や反射部５に遮られることなく収納空間１０内に照射され、収納物９が見えるようになって収納物９が取り出し易くなるものである。
【００２５】
また図１、図２に示す扉２は、収納部１の前面開口の略全面に位置する導光部３で構成されるが、図４に示すように、扉２の一部が導光部３で構成されていてもよい。これは、扉２の一部が導光部３で構成され、残りの部分が導光部３とは別部材の扉本体２０で構成される。扉本体２０は、木質材や合成樹脂や金属等の主に側板１２等と同じ材質で形成される。これにより、扉２の全面を光らせたくない場合に局所的に光らせることが可能となる。
【００２６】
次に、他の実施形態について図５、図６に基づいて説明する。本実施形態でも大部分の構成は上述した図１乃至図４に示す実施形態と同じであるため、同じ部分については同符号を付して説明を省略し、主に異なる部分について説明する。
【００２７】
本実施形態の扉２は、収納部１の前面開口の略全面に位置する導光部３と、導光部３の前側に取り付けられる架飾部６と、で構成される。
【００２８】
架飾部６は、アクリル等の合成樹脂やガラスのような透光性を有する部材からなる板状をしたもので、表面の一部または全部に、透光性を有するインクや塗料にて印刷を施したり、透光性を有する印刷シートを貼付したりすることで、木目模様や抽象柄等、様々な柄模様が形成される。本実施形態では導光部３には柄模様は形成されない。
【００２９】
この架飾部６は、導光部３の前面３２に取り付けられ、正面視の大きさは収納部１の天板１１、側板１２、底板１３の前端面の外郭と略同じとなっている。すなわち、扉２が閉まった時に図５、図６に示すように前面開口内に導光部３が嵌まり込んで前面開口が閉塞され、架飾部６は収納部１の天板１１、側板１２、底板１３の前端面を覆い隠す。
【００３０】
本実施形態では、扉２が閉まった時に収納部１の天板１１、側板１２、底板１３の前端面が架飾部６により覆い隠されて、照明付き収納装置の前面が略一枚の板状に見えて見栄えがより一層よくなるものである。
【００３１】
次に、更に他の実施形態について図７、図８に基づいて説明する。本実施形態でも大部分の構成は上述した図１乃至図４に示す実施形態と同じであるため、同じ部分については同符号を付して説明を省略し、主に異なる部分について説明する。
【００３２】
本実施形態では光源４として、例えば蛍光灯のように線状に光るライン照明が用いられる点で異なる。図示例では、凹所４０が天板１１の下面の前端部の左右方向に収納空間１０全長に亘って形成してあり、この凹所４０内にライン照明が収納される。
【００３３】
ライン照明が設けてあることで、点状に光る光源と比べて、光量を大きくし、照射ムラをなくすことが可能となる。
【００３４】
なお、図示例では天板１１にライン照明が設けてあるが、図１乃至図４に示すように側板１２に設けてもよい。
【００３５】
また、上述した技術は、収納部１だけでなく、図９に示すように戸７および戸枠８にも適用可能である。すなわちこの場合には、戸７の一部または全部（図示例では全部）に導光部３が設けられるとともに、戸７が閉まって戸枠８内に納まった状態で、導光部３の側端面３１が位置する部分に向けて光を照射する光源４が戸枠８に設けられる。
【００３６】
これにより、戸７の前面３２が光って、暗い状態でも把手７１が見えて、室内照明等の主照明を点灯させなくても戸７を容易に開けることができるようになる。また、間接照明的な照明としても利用でき、特に柄模様が形成してあれば見栄えも一層よいものである。
【符号の説明】
【００３７】
１    収納部
１０  収納空間
１１  天板
１２  側板
１３  底板
２    扉
２０  扉本体
２１  把持部
３    導光部
３ａ  板面
３０  光拡散部
３１  側端面
３２  前面
４    光源
４０  凹所
４１  基板
４２  保護カバー
５    反射部
６    架飾部
７    戸
７１  把手
８    戸枠
【図１】
2010257790.tif 000003
【図２】
2010257790.tif 000004
【図３】
2010257790.tif 000005
【図４】
2010257790.tif 000006
【図５】
2010257790.tif 000007
【図６】
2010257790.tif 000008
【図７】
2010257790.tif 000009
【図８】
2010257790.tif 000010
【図９】
2010257790.tif 000011
【図１０】
2010257790.tif 000012